(57)【要約】【課題】修正した印刷データを入力し、修正すべき用紙をセットするだけで簡単に印刷画像の修正を行うことができ、トナー消費を抑えて省資源化を図るようにする。【解決手段】印刷画像を修正したい場合、ユーザは修正した原稿を載置したトレイを選択し（Ｓ３）、原稿の消去色を設定する（Ｓ４）。そして、ＰＣ等から修正された印刷データを受信すると（Ｓ６）、外部機器から入力した修正印刷データと、印刷原稿の印刷データとを比較チェックし、印刷データの異なっている部分を修正箇所と判断して、修正箇所を消去データとして設定する（Ｓ８）。そして、修正印刷データの修正箇所を修正データとして設定する（Ｓ９）。そして設定した消去色のトナーにより、原稿１６の消去データを上書き印刷して消去処理し（Ｓ１０）、その原稿１６の上書き消去した位置に、修正データを上書き修正処理する（Ｓ１１）。【選択図】図３
2010145505.tif 000002
【特許請求の範囲】
【請求項１】
入力された画像データを印刷する印刷手段を備えた画像形成装置において、
画像データを記憶する記憶部と、該記憶部に記憶した印刷データを修正した修正印刷データの入力を受け付け、前記記憶部に記憶した印刷データと前記修正印刷データとを比較して、前記記憶部に記憶した印刷データと前記修正印刷データとの異なる部分を修正箇所として判別する修正箇所判別手段とを有し、
前記印刷手段は、前記記憶部に記憶した印刷データを印刷した用紙に対して、前記修正箇所に該当する印刷データを消去するための上書き印刷を行うとともに、前記修正印刷データから前記修正箇所に該当する印刷データを抽出し、前記印刷データを消去した用紙に対して前記抽出した印刷データを上書き印刷することにより、用紙上の印刷画像の修正を行うことを特徴とする画像形成装置。
【請求項２】
請求項１に記載の画像形成装置において、前記印刷手段は、前記用紙の色が白である場合、前記修正箇所に該当する印刷データを消去するための上書き印刷を行う際に、白色のトナーを使用することを特徴とする画像形成装置。
【請求項３】
請求項１または２に記載の画像形成装置において、前記印刷手段は、前記修正箇所に該当する印刷データを消去するための上書き印刷を行う際に、用紙の色と同色または近似した色で上書き印刷を行うことを特徴とする画像形成装置。
【請求項４】
請求項２または３に記載の画像形成装置において、該画像形成装置は、前記修正箇所に該当する印刷データを消去するための上書き印刷を行うときの印刷色を、ユーザによる入力操作に従って設定する消去色設定手段を備えることを特徴とする画像形成装置。
【発明の詳細な説明】
【技術分野】
【０００１】
本発明は、画像形成装置、より詳細には、用紙等に印刷した画像を修正できるようにした画像形成装置に関する。
【背景技術】
【０００２】
画像データに基づくトナー画像を記録用紙等に印刷して画像形成する画像形成装置が普及している。このような画像形成装置を利用するユーザは、用紙等に印刷した画像に修正すべき箇所を見つけた場合、通常、印刷を行った画像データを修正して、再度印刷し直すか、もしくは用紙等に印刷出力した画像をフリーハンドで修正することが行われる。
【０００３】
しかしながら、画像データを修正して再度印刷を行うと、用紙の消費量が増大して省資源化の妨げとなる。また、印刷画像をフリーハンドで修正する場合には、用紙の消費は増えないが、印刷画像の見栄えが悪くなる、という問題が生じる。
このような問題を解消するため、例えば特許文献１では、印刷済みの用紙に白色トナーを重ねて印刷して、印刷画像を消去することにより、用紙の再使用を可能とする技術が開示されている。
【特許文献１】特開平９−２６５２４９号公報
【発明の開示】
【発明が解決しようとする課題】
【０００４】
しかしながら、特許文献１に示される技術では、印刷を行う用紙の消費量を減らすことができるものの、用紙全体を白色トナーで消去するため、白色トナーの消費量が増加し、さらに再印刷によるトナーの消費も増加して、十分な省資源化が図れない、という問題があった。また使用トナー量の増加は、印刷処理のコストを増大させる要因にもなる。
【０００５】
本発明は、上記の如き問題点を鑑みてなされたもので、入力された印刷データを印刷する印刷手段を備えた画像形成装置において、用紙上に印刷した印刷画像を修正する場合に、修正した印刷データを入力して、修正すべき用紙をセットするだけで簡単に印刷画像の修正を行うことができ、このときにトナー消費を抑えて省資源化を図ることができるようにした画像形成装置を提供することを目的とするものである。
【課題を解決するための手段】
【０００６】
上記目的を達成するために、本発明の第１の技術手段は、入力された印刷データを印刷する印刷手段を備えた画像形成装置において、印刷データを記憶する記憶部と、記憶部に記憶した印刷データを修正した修正印刷データの入力を受け付け、記憶部に記憶した印刷データと修正印刷データとを比較して、記憶部に記憶した印刷データと修正印刷データとの異なる部分を修正箇所として判別する修正箇所判別手段とを有し、印刷手段が、記憶部に記憶した印刷データを印刷した用紙に対して、修正箇所に該当する印刷データを消去するための上書き印刷を行うとともに、修正印刷データから修正箇所に該当する印刷データを抽出し、印刷データを消去した用紙に対して抽出した印刷データを上書き印刷することにより、用紙上の印刷画像の修正を行うことを特徴としたものである。
【０００７】
第２の技術手段は、第１の技術手段において、印刷手段が、用紙の色が白である場合、修正箇所に該当する印刷データを消去するための上書き印刷を行う際に、白色のトナーを使用することを特徴としたものである。
【０００８】
第３の技術手段は、第１または第２の技術手段において、印刷手段が、修正箇所に該当する印刷データを消去するための上書き印刷を行う際に、用紙の色と同色または近似した色で上書き印刷を行うことを特徴としたものである。
【０００９】
第４の技術手段は、第２または第３の技術手段において、画像形成装置が、修正箇所に該当する印刷データを消去するための上書き印刷を行うときの印刷色を、ユーザによる入力操作に従って設定する消去色設定手段を備えることを特徴としたものである。
【発明の効果】
【００１０】
本発明によれば、入力された印刷データを印刷する印刷手段を備えた画像形成装置において、用紙上に印刷した印刷画像を修正する場合に、修正した印刷データを入力して、修正すべき用紙をセットするだけで、印刷原稿と遜色無い見栄えで簡単に印刷画像の修正を行うことができ、このときにトナー消費を抑えて省資源化を図ることができるようにした画像形成装置を提供することができる。
【００１１】
本発明によれば、画像形成装置で印刷データを印刷した結果、印刷画像に修正したい箇所が発生した場合、白色用紙を使用していれば、白色トナーによって修正箇所を上書きして消去し、再度、修正用の文字あるいはイメージで上書き印刷するとで、修正することができるため、用紙の使用量が減少し、森林資源の保護を図ることができる。
同様に、色紙用紙を使用している場合には、上書き消去する色を色紙の色と同じもしくは近似した色に設定することができるため、紙の使用量が減少し、森林資源の保護を図ることができる。
【００１２】
また、本発明では、修正箇所を判別してその部分にのみトナーを使用するため、用紙全体を上書き消去する場合に比べて、トナー消費の低減化を図ることができる。また既存の複合機等のプリンタ部があれば、新たな装置や構成を追加することなく、上書き修正機能を容易に追加することができ、上書き修正専用機を開発する必要が無く、コスト的な効果を得ることができる。
【発明を実施するための最良の形態】
【００１３】
以下、本発明の実施の形態について説明する。尚、以下の実施の形態は、本発明を具体化した一例であって、本発明の技術的範囲を限定するものではない。
図１は、本発明による画像形成装置の一実施形態の概略構成を示す図で、本発明の画像形成装置が適用される複合機の主要部の構成を示している。複合機１は、スキャナ部２と、印刷手段であるプリンタ部３とを有し、スキャナ部２では原稿画像を読み取って画像データを生成する。読み取った画像データは、印刷データとしてプリンタ部３で印刷出力させることができる。プリンタ部３では、スキャナ部２で読み取った画像データや、ネットワークやＵＳＢ等のインターフェース（不図示）を介してＰＣ等の外部機器から印刷データを受け取ってプリント印刷を行う。ここで本発明に係る印刷画像の修正処理は、ＰＣ等の外部機器から入力した修正画像データを使用して実行する。
【００１４】
本例の複合機１で扱われる画像データは、ブラック（ＢＫ）、シアン（Ｃ）、マゼンタ（Ｍ）、イエロー（Ｙ）の各色を用いたカラー画像に応じたもので、さらにホワイト（ＷＨ）のトナーで画像形成を行うことができるようになっている。従って、ＬＳＵ（レーザ走査ユニット）４Ａ〜４Ｅ、トナーボックス５Ａ〜５Ｅ、現像槽６Ａ〜６Ｅ、感光体ドラム７Ａ〜７Ｅ、帯電装置８Ａ〜８Ｅ、除電クリーナ９Ａ〜９Ｅは、各色に応じた５種類の潜像を形成するようにそれぞれ５個ずつ設けられ、それぞれブラック、シアン、マゼンタ、イエロー、ホワイトに設定され、これらによって５つの画像ステーションが構成されている。
【００１５】
ＬＳＵ４Ａ〜４Ｅは、帯電された感光体ドラム７Ａ〜７Ｅを入力された印刷データに応じて露光することにより、その表面に、印刷データに応じた静電潜像を形成する機能を有する。現像槽６Ａ〜６Ｅは、それぞれの感光体ドラム７Ａ〜７Ｅ上に形成された静電潜像を５色（Ｙ，Ｍ，Ｃ，ＢＫ，ＷＨ）のトナーにより顕像化するものである。また除電クリーナ９Ａ〜９Ｅは、現像・画像転写後における感光体ドラム７Ａ〜７Ｅ上の表面に残留したトナーを、除去・回収するものである。
【００１６】
中間転写ベルト１０は、各感光体ドラム７Ａ〜７Ｅに接触するように設けられている。そして、感光体ドラム７Ａ〜７Ｅに形成された各色のトナー像を中間転写ベルト１０に順次的に重ねて転写することによって、中間転写ベルト１０上にカラーのトナー像（多色トナー像）を形成する機能を有している。中間転写ベルト１０で積層された画像情報は、中間転写ベルト１０の回転により、用紙と中間転写ベルト１０の接触位置で用紙上に転写される。
【００１７】
定着部１２は、ヒートローラと加圧ローラとを備え、トナーが転写された用紙を挟んで回転する。ヒートローラは、所定の定着温度となるように設定されていて、加圧ローラで用紙を熱圧着することにより、用紙に転写された多色トナー像を溶融・混合・圧接し、用紙に対して熱定着させる機能をもっている。
【００１８】
次に複合機１による印刷画像の上書き修正処理について説明する。ユーザが複合機１に対して印刷データを入力して印刷を行い、その印刷画像に修正すべき箇所が見つかった場合、修正した印刷データを再度複合機１に入力することで、用紙を無駄にすることなく、かつトナーの消費量を最低限にして印刷画像の修正を行うことができる。
【００１９】
修正を行う印刷済みの用紙（これ以降は「原稿」と呼ぶ）の搬送路としては、プリンタ部３で両面印刷を実施する際に用紙を搬送する搬送路と同じ搬送路を使用する。
まず、原稿１６が片面印刷されていて、ユーザがその片面側のみの印刷画像を修正したい場合、ユーザは、修正したい原稿１６の印刷面を下にして複合機１のトレイ１５に載置する。
【００２０】
複合機１は、トレイ１５に載置された原稿１６を搬送路１７，１８，１９，２０，２１の順に搬送する。そして複合機１は、原稿１６が搬送路２１に到達した時点で原稿１６の搬送を停止し、逆方向に向かって原稿１６を送る。ここで搬送路切り替え部１３を切り替えて搬送路２１，２２，２３の順に原稿１６を送り、さらに搬送路切り替え部１４を切り替えて搬送路２４で停止させる。
【００２１】
原稿１６が白色の用紙を使用したものである場合には、複合機１は、白色トナーを感光体ドラム７Ｅに画像形成する。このとき、印刷画像の修正箇所を消去できる位置及び形状となるように、感光体ドラム７Ｅに対して画像形成を行う。そして、感光体ドラム７Ｅに形成した画像を転写ベルト１０に転写する。ここで原稿１６の修正箇所に上書き印刷の位置が合うようにタイミングをとって、原稿１６を搬送路２４から搬送路１９に送り、転写ベルト１０に転写した白色トナーの画像を原稿１６に転写して定着部１２で定着させる。そして原稿１６を搬送路２０，２１に搬送する。これにより、原稿１６の修正箇所が白色トナーによって消去される。
【００２２】
また、原稿１６が白色の用紙ではなく、白色ではない色の色紙を使用している場合には、複合機１が備えているシアン、マゼンタ、イエロー等のトナーを使用してその色紙と同じ色、もしくはそれに近い色を再現し、上記と同様に原稿１６の修正箇所に上書き印刷を行う。
【００２３】
原稿１６に印刷する印刷データは、ＰＣ等の外部機器から複合機１に入力され、複合機１の図示しない記憶部に記憶されたものである。記憶部は、複合機１で画像処理を制御する画像処理部に備えられ、画像処理部からＬＳＵに出力されて画像形成される。ＬＳＵでは、複合機１が備える本体制御部からの制御信号に従って、感光体ドラムを露光して印刷データに従う画像を形成する。
【００２４】
複合機１は、記憶部に記憶された印刷データと、その印刷データの修正箇所が修正された修正印刷データとを比較し、これらの印刷データの異なる部分を修正箇所として判別する。この修正箇所判別手段は、ＣＰＵやＭＰＵなどのマイクロプロセッサによる制御手段により実現されるもので、上記の本体制御部または画像処理部が相当する。そして、原稿１６の修正箇所を消去する場合には、印刷した印刷データの修正箇所を消去データとして判別し、その消去データを消去するように、白色、または色紙の色と同じもしくは近似した色を修正箇所の消去データとし、転写ベルト１０に画像形成する。そしてさらに、文字や画像等の修正用の印刷データを消去データの画像に重ねるように転写ベルト１０上の消去データの形成された画像に画像形成し、修正箇所に修正データの印刷位置が合うようにタイミングをとって、原稿１６を搬送路１７、１８から搬送路１９に送り、転写ベルト１０に転写した修正データの画像を原稿１６に転写して、定着部１２で定着させる。そして原稿１６を搬送路２０、２１に搬送し、排紙トレイに排紙する。これにより、原稿１６の修正箇所の上書き修正が可能となる。
【００２５】
この場合には、制御手段では、記憶部に記憶された印刷データとその印刷データの修正箇所が修正された修正印刷データとを比較した結果得られた修正箇所に基づいて、修正印刷データから修正箇所に該当する印刷データ（修正データとする）を抽出し、その抽出した印刷データを画像形成させるようにする。これにより用紙上の印刷画像の修正が可能となる。
【００２６】
次に、原稿１６が両面印刷されていて、ユーザはその両面の印刷画像を修正したい場合、ユーザは、まず修正したい原稿１６の表（おもて）面を上にして複合機１のトレイ１５に載置する。
原稿１６が白色の用紙を使用したものである場合には、複合機１は、白色トナーを感光体ドラム７Ｅに画像形成する。このとき、印刷済みの画像の修正箇所を消去できる位置及び形状となるように、感光体ドラム７Ｅに対して画像形成を行う。そして、感光体ドラム７Ｅに形成した画像を転写ベルト１０に転写し、転写ベルト１０に転写された白色トナーの画像に、文字や画像等の修正用の印刷データも同様に感光ドラム７Ａ〜７Ｄで画層形成し、転写ベルト１０に白色トナーで形成された画像に修正する印刷データを重ね合わせるように、感光ドラム７Ａ〜７Ｄで形成した画像を転写ベルト１０に転写する。ここで原稿１６の表面の修正箇所に上書き印刷の位置が合うようにタイミングをとって、原稿１６を搬送路１７、１８から搬送路１９に送り、転写ベルト１０に転写した白色トナーの画像に重ね合わせた修正データの画像を原稿１６の表面に転写して定着部１２で定着させる。そして原稿１６を搬送路２０、２１に搬送する。これにより、原稿１６の表面の修正箇所が白色トナー画像に重ね合わせた修正データの画像によって修正される。
【００２７】
また、原稿１６が白色の用紙ではなく、白色ではない色の色紙を使用している場合には、複合機１が備えているシアン、マゼンタ、イエロー等のトナーを使用してその色紙と同じ色、もしくはそれに近い色を再現し、上記と同様に原稿１６の表面の修正箇所に上書き印刷を行う。修正箇所の判別と上書きの制御は、上記の片面印刷時の処理と同様である。
【００２８】
複合機１は、上記の動作によって修正箇所を修正した原稿１６が搬送路２１に到達すると、原稿１６の搬送を停止して逆方向に送り、搬送路切り替え部１３を切り替えて搬送路２１，２２，２３の順に原稿１６を搬送する。さらに複合機１は、搬送路切り替え部１４を切り替えて搬送路２４に到達した時点で原稿１６を停止させる。
この時点で原稿１６は、表面の修正箇所が上書きされ修正された状態となっている。
【００２９】
この後、原稿１６の裏面の修正箇所の消去と修正用の印刷データの画像形成処理に移行する。裏面の画像形成処理についても、上記の表面の画像形成処理と同様の処理を行う。ここで原稿１６が白色の用紙を使用したものである場合には、複合機１は、白色トナーを感光体ドラム７Ｅに画像形成する。このとき、印刷済みの画像の裏面の修正箇所を消去できる位置及び形状となるように、感光体ドラム７Ｅに対して画像形成を行う。そして、感光体ドラム７Ｅに形成した画像を転写ベルト１０に転写し、転写ベルト１０に転写された白色トナーの画像に、文字や画像等の修正用の印刷データも同様に感光ドラム７Ａ〜７Ｄで画層形成し、転写ベルト１０に白色トナーで形成された画像に修正する印刷データを重ね合わせるように、感光ドラム７Ａ〜７Ｄで形成した画像を転写ベルト１０に転写する。そして、原稿１６の裏面の修正箇所に上書き印刷の位置が合うようにタイミングをとって、原稿１６を搬送路１７、１８から搬送路１９に送り、転写ベルト１０に転写した白色トナーの画像に重ね合わせた修正データの画像を原稿１６の裏面に転写して定着部１２で定着させる。これにより、原稿１６の表面の修正箇所が白色トナー画像に重ね合わせた修正データの画像によって修正される。
【００３０】
また、原稿１６が白色の用紙ではなく、白色ではない色の色紙を使用している場合には、複合機１が備えているシアン、マゼンタ、イエロー等のトナーを使用してその色紙と同じ色、もしくはそれに近い色を再現し、上記と同様に原稿１６の裏面の修正箇所に上書き印刷を行う。
そして原稿１６を搬送路２０、２１に搬送し、排紙トレイ２５に排紙する。これにより、両面印刷された原稿１６の表面と裏面の修正箇所の上書き修正が可能となる。
【００３１】
図２は、本発明の実施形態による複合機が備える操作パネルの外観構成例を示す図である。ユーザは、図２に示すような操作パネルを操作することによって、原稿の上書き修正の指示入力を行うことができる。操作パネル１００は、スタートキー１０１ａやテンキー１０１ｂなどを備えた基本操作部１０１と、ファンクションの選択を行うためのファンクション選択キー１０２と、ＬＣＤタッチパネル部１０３とを備えている。ＬＣＤタッチパネル部１０３は、ファンクションに応じた設定用画面や各種情報を表示するＬＣＤ（液晶ディスプレイ）と、ＬＣＤ表面に配置されたタッチパネルとを備え、ユーザはＬＣＤの表示画面を確認しながら、任意の操作入力を行うことができる。
【００３２】
図２に示すＬＣＤタッチパネル部１０３は、ファンクション選択キー１０２の修正キー１０２ａが操作されたときの表示画面の一例を示している。この表示画面において、原稿トレイキー１０３ａは、原稿１６の表（おもて）面を上向きに載置する給紙トレイの選択設定を行うためのキーである。また、白色消去キー１０３ｂは、原稿１６の修正箇所を白色トナーで上書き消去する操作を行うためのキーである。また、消去色指定設定キー１０３ｃは、原稿１６が白色以外の色紙の用紙である場合、修正箇所を上書き消去する色を消去色の編集画面１０３ｄで設定するためのキーである。そしてＯＫキー１０３ｅは各設定を実行し、印刷出力結果の修正処理に移行するためのキーである。また、ＣＡＮＣＥＬキー１０３ｆは修正処理をキャンセルしてアイドル状態（不図示）に移行させるためのキーである。
【００３３】
このように複合機１は、印刷データを消去するときの印刷色をユーザ操作に従って設定する消去色設定手段を備えている。この消去色設定手段は、ＬＣＤタッチパネル部１０３による操作入力手段と、その操作入力手段に対する操作入力に従って消去色を設定し、印刷制御を行うマイクロプロセッサによる制御手段により実現される。
【００３４】
図３は、本発明の実施の形態に係る複合機の印刷結果の上書き修正処理手順の一例を表すフローチャートである。以下、図１の複合機１の構成と図２の操作パネル１００の構成とを参照しながら説明する。
複合機１が電源投入により起動すると、複合機１では、まずイニシャル処理が開始され（不図示）、アイドル状態（不図示）になる。ユーザは、この状態において、あるいはイニシャル処理中に、複合機１のトレイ１５に原稿１６を載置する。そして操作パネル１００のファンクション選択キー１０２より各キーを選択する操作を行うことにより（ステップＳ１）、複合機１では操作キーに応じたモードに移行する。ここでユーザがファンクション選択キー１０２でプリンタキー１０２ｂを操作した場合、複合機１はプリンタ処理に移行し、印刷データの保存処理を行って（ステップＳ１１）、印刷出力処理を実行する（ステップＳ１２）。
【００３５】
ステップＳ１で、ＦＡＸ／イメージ送信キー１０２ｃ、またはコピーキー１０２ｄが操作された場合（ステップＳ１）、複合機１では、操作キーに応じてＦＡＸ／イメージ送信処理、またはコピー処理のファンクション処理に移行し（ステップＳ１３）、各処理が終了するとアイドル状態（不図示）に移行する。
【００３６】
ステップＳ１で修正キー１０２ａが操作された場合、複合機１は、ＬＣＤタッチパネル部１０３にて、図２に示すような修正処理画面を表示する（ステップＳ２）。ここで、ユーザによって原稿トレイキー１０３ａが操作されることで、原稿１６が載置されているトレイが選択される（ステップＳ３）。そして、消去色指定設定キー１０３ｃと、消去色の編集画面１０３ｄとを用いて原稿の消去色の設定が行われる（ステップＳ４）。
【００３７】
ユーザは、消去色を設定するとＬＣＤタッチパネル部１０３のＯＫキー１０３ｅまたはＣＡＮＣＥＬキー１０３ｆのいずれかのタッチキーを操作する（ステップＳ５）。ここでＣＡＮＣＥＬキー１０３ｄが操作された場合には、複合機１は、ステップＳ３のトレイ選択設定と、ステップＳ４の消去色の指定・設定処理とをキャンセルし、アイドル状態（不図示）に移行する。
【００３８】
また、ユーザによってＯＫキー１０３ｅが操作された場合、複合機１は、印刷データ受信処理に移行し、ＰＣ等の外部機器からの印刷データの受信待ち状態となる（ステップＳ６）。そして複合機１が印刷データを受信した場合、修正済みの印刷データ（修正印刷データ）であるか否かを確認する（ステップＳ７）。修正印刷データではない場合、通常の印刷データとしてプリント処理に移行する。ここでは印刷データ保存処理を実行し（ステップＳ１１）、印刷出力処理を実行し（ステップＳ１２）、終了するとアイドル状態（不図示）に移行する。
【００３９】
また、ステップＳ７で修正印刷データであった場合、複合機１では、修正箇所確認処理に移行して、外部機器から入力した修正印刷データと、記憶部に記憶した印刷データとを比較チェックする。そして、これら比較した印刷データの異なっている部分を修正箇所と判断し、記憶部に記憶した印刷データの修正箇所を消去データとして設定する（ステップＳ８）。そして、修正データ確認処理に移行し、修正印刷データの修正箇所を修正データとして設定する（ステップＳ９）。
【００４０】
次いで修正箇所上書き処理に移行し、ステップＳ４で設定した消去色のトナーにより、原稿１６の消去データに修正データを重ね合わせて上書き印刷して修正処理する（ステップＳ１０）。終了すると、アイドル状態に移行し、ファンクション選択キーでファンクション選択が可能となる。
【図面の簡単な説明】
【００４１】
【図１】本発明による画像形成装置の一実施形態の概略構成を示す図である。
【図２】本発明の実施形態による複合機が備える操作パネルの外観構成例を示す図である。
【図３】本発明の実施の形態に係る複合機の印刷結果の上書き修正処理手順の一例を表すフローチャートである。
【符号の説明】
【００４２】
１…複合機、２…スキャナ部、３…プリンタ部、４Ａ〜４Ｅ…ＬＳＵ、５Ａ〜５Ｅ…トナーボックス、６Ａ〜６Ｅ…現像槽、７Ａ〜７Ｅ…感光体ドラム、８Ａ〜８Ｅ…帯電装置、９Ａ〜９Ｅ…除電クリーナ、１６…原稿、１０…中間転写ベルト、１２…定着部、１３…搬送路切り替え部、１４…搬送路切り替え部、１５…トレイ、１６…原稿、１７，１８，１９，２０，２１，２２，２３，２４…搬送路、２５…排紙トレイ、１００…操作パネル、１０１…基本操作部、１０１ａ…スタートキー、１０１ｂ…テンキー、１０２…ファンクション選択キー、１０２ａ…修正キー、１０２ｂ…プリンタキー、１０２ｃ…イメージ送信キー、１０２ｄ…コピーキー、１０３…ＬＣＤタッチパネル部、１０３ａ…原稿トレイキー、１０３ｂ…白色消去キー、１０３ｃ…消去色指定設定キー、１０３ｄ…編集画面、１０３ｅ…ＯＫキー、１０３ｆ…ＣＡＮＣＥＬキー。
【図１】
2010145505.tif 000003
【図２】
2010145505.tif 000004
【図３】
2010145505.tif 000005